(57)【要約】【課題】加熱ブレードの機能を損なうことなく、効率的に加熱ブレード等から煤を除去することができる電子たばこ洗浄液を提供する。【解決手段】本発明に係る電子たばこ洗浄液は、水素イオン濃度指数ｐＨが１１．５以上であり、かつ、表面張力が５７ｄｙｎ／ｃｍ以下のアルカリイオン水を少なくとも含み、電子たばこ１０の加熱ブレード１５の洗浄に供されることを特徴とする。【選択図】      図６
2018141030.tif 000002
【特許請求の範囲】
【請求項１】
水素イオン濃度指数がｐＨ１１．５以上であり、かつ、表面張力が５７ｄｙｎ／ｃｍ以下のアルカリイオン水を少なくとも含み、電子たばこの加熱ブレードの洗浄に供されることを特徴とする電子たばこ洗浄液。
【請求項２】
請求項１に記載の電子たばこ洗浄液を用いて電子たばこを洗浄する電子たばこ洗浄方法であって、
ブラシが内蔵されたクリーニング容器内に、前記電子たばこ洗浄液を吹き付ける工程と、
前記クリーニング容器内の前記ブラシに、前記電子たばこの前記加熱ブレードを擦り付ける工程と、を有することを特徴とする電子たばこ洗浄方法。
【発明の詳細な説明】
【技術分野】
【０００１】
本発明は、電子たばこにおける加熱ブレードが、加熱ブレードの近傍の構成の洗浄のために用いられる電子たばこ洗浄液、及びそのような電子たばこ洗浄液を用いた電子たばこ洗浄方法に関する。
【背景技術】
【０００２】
従来の紙巻きたばこは、点火することにより、たばこ葉が燃焼し、この燃焼によって生じた煙がフィルターを介して吸引される構成となっている。一方、たばこ葉の燃焼に伴い、周辺の環境には副流煙が放出される。
【０００３】
この副流煙を吸引する、所謂受動喫煙は、健康被害が非常に大きいことが知られている。そこで、近年、例えば、特許文献１（特表２０１０−５２１１８５号公報）に記載されているよう副流煙をほとんど発生しない電子たばこが提案されている。
【特許文献１】特表２０１０−５２１１８５号公報
【発明の概要】
【発明が解決しようとする課題】
【０００４】
近年、普及が進んでいる電子たばこは、カートリッジに充填されているたばこ葉を、適正に温度制御された加熱ブレードによって加熱し、たばこ葉に含まれるニコチンや水分を気化させ、これらを吸引する構成となっている。
【０００５】
電子たばこを使用すると、加熱ブレードや加熱ブレードの近傍の構成には、たばこ葉の加熱に伴う煤が付着する。この煤は加熱ブレードの不調や、電子たばこの味の低下を引き起こす原因となるので、定期的に煤を除去するメンテナンスを行う必要がある。
【０００６】
従来、加熱ブレードの掃除には、ブラシや綿棒で擦って汚れを除去するか、洗浄剤として無水エタノールや通常生成されたイオン化された洗浄水をこれに吹き付けて、綿棒などで煤を擦り取ることが行われていた。
【０００７】
しかしながら、無水エタノールや通常生成されたイオン化された洗浄水は、加熱ブレードに対して化学的なダメージを与え、加熱ブレードの機能が損なわれてしまう可能性がある、という問題があった。また、洗浄剤として無水エタノールや通常生成されたイオン化された洗浄水を使用したとしても、加熱ブレードから除去できる煤の量や消臭及び除菌効果は限定的であり、人体に直接吸引するたばこの特性からしても、可燃性や人体に悪影響のある洗浄剤を使用する、という問題もあった。
【課題を解決するための手段】
【０００８】
この発明は、上記のような課題を解決するものであって、本発明に係る電子たばこ洗浄液は、水素イオン濃度指数がｐＨ１１．５以上であり、かつ、表面張力が５７ｄｙｎ／ｃｍ以下のアルカリイオン水を少なくとも含み、電子たばこの加熱ブレードの洗浄に供されることを特徴とする。
【０００９】
また、本発明に係る電子たばこ洗浄方法は、前記に記載の電子たばこ洗浄液を用いて電子たばこを洗浄する電子たばこ洗浄方法であって、ブラシが内蔵されたクリーニング容器内に、前記電子たばこ洗浄液を吹き付ける工程と、前記クリーニング容器内の前記ブラシに、前記電子たばこの前記加熱ブレードを擦り付ける工程と、を有することを特徴とする。
【発明の効果】
【００１０】
本発明に係る電子たばこ洗浄液は、水素イオン濃度指数がｐＨ１１．５以上であり、かつ、表面張力が５７ｄｙｎ／ｃｍ以下のアルカリイオン水を少なくとも含むものが用いられており、このような本発明に係る電子たばこ洗浄液によれば、加熱ブレードに対して化学的なダメージを与え、加熱ブレードの機能を損なうようなことがない。また、本発明に係る電子たばこ洗浄液によれば、加熱ブレード等から効率的に煤を除去することができる。
【００１１】
また、本発明に係る電子たばこ洗浄方法によれば、加熱ブレードに対して化学的なダメージを与えず、加熱ブレードの機能を損なうことなく洗浄を行うことができ、同時に除菌消臭も行うことができる。また、本発明に係る電子たばこ洗浄方法によれば、加熱ブレード等から効率的に煤を除去できる洗浄を実施することができる。
【００１２】
さらに、従来の洗浄方法では懸念される健康被害及び可燃性による二次災害も解決できる。
【図面の簡単な説明】
【００１３】
【図１】電子たばこ１０の概略構成を説明する図である。
【図２】電子たばこ１０にカートリッジ３０を装着した状態を示す図である。
【図３】電子たばこ１０の本体部１１からキャップ部２０を取り外した状態を示す図である。
【図４】スプレー容器５０によって本発明に係る電子たばこ洗浄液６０をクリーニング容器４０内に吹き付ける工程を示す図である。
【図５】クリーニング容器４０内に、電子たばこ１０の洗浄対象部である加熱ブレード１５などを挿入する様子を示す図である。
【図６】クリーニング容器４０内のブラシ（不図示）に加熱ブレード１５などを擦り付ける工程を示す図である。
【発明を実施するための形態】
【００１４】
以下、本発明の実施の形態を図面を参照しつつ説明する。図１は電子たばこ１０の概略構成を説明する図である。また、図２は電子たばこ１０にカートリッジ３０を装着した状態を示す図である。  電子たばこ１０は、本体部１１と、この本体部１１と着脱可能なキャップ部２０とから構成されている。キャップ部２０には、開口部２５が設けられており、この開口部２５からカートリッジ３０をキャップ部２０内に挿入することができるようになっている。
【００１５】
本体部１１からは、カートリッジ３０が内嵌される程度の内径を有する内筒部１２が延出している。また、内筒部１２の内側において、同じく本体部１１から延出する加熱ブレード１５が設けられている。本体部１１の中には、加熱ブレード１５の温度を制御するための電子回路（不図示）や、電池（不図示）などが内蔵されている。
【００１６】
加熱ブレード１５は、カートリッジ３０が電子たばこ１０に装着されると、カートリッジ３０のたばこ葉充填部３３に突き刺さるようになっており、これにより加熱ブレード１５が加熱されると、たばこ葉に含まれる各成分（ニコチン、水など）が気化する。電子たばこ１０の吸引者は、フィルター部３４を介して気化した前記のような成分を吸引することとなる。
【００１７】
なお、以上のような電子たばこ１０の構成は、一例に過ぎず、本発明に係る電子たばこ洗浄液６０や、本発明に係る電子たばこ洗浄方法の適用範囲が、このような構成の電子たばこ１０に限定されるものではない。
【００１８】
以上のような電子たばこ１０を利用すると、加熱ブレード１５や内筒部１２やキャップ部２０の内側には煤が付着してしまう。この煤は加熱ブレードの不調や、電子たばこの味の低下を引き起こす原因となるので、定期的に煤を除去することが好ましい。
【００１９】
図３は、上記のような煤の除去のために、電子たばこ１０の本体部１１からキャップ部２０を取り外した状態を示す図である。
【００２０】
ここで、加熱ブレード１５や内筒部１２やキャップ部２０の内側に付着した煤を除去する際に用いる洗浄剤としては、従来は無水エタノールなどを用いており、これにより、加熱ブレード１５に対して化学的なダメージを与え、加熱ブレード１５の機能が損なわれたり、加熱ブレード１５から除去できる煤の量は限定的であったりする、という問題が発生した。
【００２１】
そこで、本発明に係る電子たばこ洗浄液６０としては、水素イオン濃度指数がｐＨ１１．５以上であり、かつ、表面張力が５７ｄｙｎ／ｃｍ以下のアルカリイオン水を少なくとも含むものが用いられる。
【００２２】
本発明に係る電子たばこ洗浄液６０で用いるアルカリイオン水としては、商品名Ｓ−１００（株式会社エー・アイ・システムプロダクト社製）などを用いることができる。このＳ−１００は、水素イオン濃度指数がＰＨ１１．５以上１２．５以下で安定しており、表面張力が約５６．１ｄｙｎ／ｃｍ（５７ｄｙｎ／ｃｍ以下）のアルカリイオン水である。通常のアルカリイオン水は、約７２〜７３ｄｙｎ／ｃｍであるが、発明に係る電子たばこ洗浄液６０で用いるアルカリイオン水は、これよりも小さい表面張力を有する。
【００２３】
本発明に係る電子たばこ洗浄液６０で用いるアルカリイオン水は、下記の３つの工程を経て、純水から製造することができる。
【００２４】
第１の工程である脱酸素工程では、イオン交換膜を用いて、純水中の溶存酸素の濃度を１ｐｐｍ以下に落とす脱酸素処理を行う。
【００２５】
第２の工程である電気分解工程では、脱酸素処理を行った純水中に電極を配して純水を電気分解し、マイナスの電極が配された陰極室側の純水を取り出す電気分解処理を行う。
【００２６】
第３の工程である安定化工程では、電気分解工程により電気分解された前記純水のうち、陰極室側の純水を密閉された安定化槽内で４ｋｇ／ｃｍ2の圧力をかけた状態で２〜３日寝かせる安定化処理を実行する。なお、安定化処理で純水にかける圧力は少なくとも４ｋｇ／ｃｍ2以上あるとよく、より好ましくは１２ｋｇ／ｃｍ2であるとよい。
【００２７】
なお、本発明に係る電子たばこ洗浄液６０は、上記のようなアルカリイオン水に加え、その他の界面活性剤などの洗浄成分や溶媒成分が含まれていても構わない。
【００２８】
本発明に係る電子たばこ洗浄液６０に含まれているアルカリイオン水は、小さい表面張力のため高い洗浄能力を有する。洗浄能力は、表面張力が小さければ高くなるが、通常のアルカリイオン水等の一般の水はアルコールに比べ表面張力が大きいので、通常、水はアルコールよりも洗浄能力が低い。しかし、本発明に係る電子たばこ洗浄液６０に含まれているアルカリイオン水は、通常のアルカリイオン水よりも表面張力が小さいアルカリイオン水であるので、通常のアルカリイオン水やアルコールよりも高い洗浄能力を有する。
【００２９】
また、本発明に係る電子たばこ洗浄液６０は、電荷の働きによりさらに高い洗浄能力を有する。これは、洗浄対象物である加熱ブレード１５などから煤粒子が剥離するとき、いずれもアルカリイオン水から電荷を受けて、同じ電荷に帯電するため、その反発力により煤粒子が加熱ブレード１５などから剥がれやすくなるからである。
【００３０】
また、本発明に係る電子たばこ洗浄液６０に含まれるアルカリイオン水は、人体への悪影響を及ぼす物質を一切含んでおらず、電子過剰なだけなので、自然にもどすと通常の水になる。そのため、本発明に係る電子たばこ洗浄液６０を用いると、人体や自然に優しい洗浄ができる。
【００３１】
以上のような本発明に係る電子たばこ洗浄液６０を、煤が付着した加熱ブレード１５や内筒部１２やキャップ部２０の内側に、吹きかけて、綿棒などで擦り取ることによって、効率的な煤の除去と除菌消臭を行うことが可能となる。
【００３２】
ここで、加熱ブレード１５などからより効率的に煤を除去できる、本発明に係る電子たばこ洗浄方法について説明する。
【００３３】
本発明に係る電子たばこ洗浄液６０は、電子たばこ洗浄液６０を霧状にして噴射させることができるスプレー容器５０などに充填しておくことが好ましい。また、クリーニング容器４０の中には、不図示のブラシなどを設けておくことが好ましい。
【００３４】
図４はスプレー容器５０によって本発明に係る電子たばこ洗浄液６０をクリーニング容器４０内に吹き付ける工程を示す図である。このような工程により、クリーニング容器４０内におけるブラシ（不図示）には、本発明に係る電子たばこ洗浄液６０の液滴が多数付着することとなる。
【００３５】
続いて、図５に示すように、クリーニング容器４０内に、電子たばこ１０の洗浄対象部である加熱ブレード１５などを鉛直下方に挿入し、次に、図６に示すように、クリーニング容器４０内のブラシ（不図示）に加熱ブレード１５などを擦り付ける工程を実施する。図６において、例えば、本体部１１をＲ−Ｒ’方向に回動させるなどして、加熱ブレード１５などの洗浄対象部を不図示のブラシに擦り付ける。
【００３６】
以上のように、本発明に係る電子たばこ洗浄液６０は、水素イオン濃度指数がｐＨ１１．５以上であり、かつ、表面張力が５７ｄｙｎ／ｃｍ以下のアルカリイオン水を少なくとも含むものが用いられており、このような本発明に係る電子たばこ洗浄液６０によれば、加熱ブレード１５に対して化学的なダメージを与え、加熱ブレード１５の機能を損なうようなことがない。また、本発明に係る電子たばこ洗浄液６０によれば、加熱ブレード１５等から効率的に煤を除去し、除菌消臭することができる。
【００３７】
また、本発明に係る電子たばこ洗浄方法によれば、加熱ブレード１５に対して化学的なダメージを与えず、加熱ブレード１５の機能を損なうことなく洗浄を行うことができる。また、本発明に係る電子たばこ洗浄方法によれば、加熱ブレード１５等から効率的に煤を除去でき、除菌消臭できる洗浄を実施することができる。
【符号の説明】
【００３８】
１０・・・電子たばこ
１１・・・本体部
１２・・・内筒部
１５・・・加熱ブレード
２０・・・キャップ部
２５・・・開口部
３０・・・カートリッジ
３３・・・たばこ葉充填部
３４・・・フィルター部
４０・・・クリーニング容器
５０・・・スプレー容器
６０・・・電子たばこ洗浄液
【図１】
2018141030.tif 000003
【図２】
2018141030.tif 000004
【図３】
2018141030.tif 000005
【図４】
2018141030.tif 000006
【図５】
2018141030.tif 000007
【図６】
2018141030.tif 000008